(57)【要約】【課題】収容変更に伴う子機のチャンネル番号の変更を子機のディップスイッチの設定を変更することなく行えるＰＯＮ方式における子機チャンネル変更方法を提供する。【解決手段】第１７乃至第２８の子機４０17〜４０28には、チャンネル番号が固定チャンネル方式により既に割り当てられている。第１７乃至第２８の子機４０17〜４０28に割り当てる新たなチャンネル番号を示すチャンネル番号データと収容変更を行う日時を示す収容変更日時データとを第２の親機１０2から第１７乃至第２８の子機４０17〜４０28に送信し、第１７乃至第２８の子機４０17〜４０28においてチャンネル番号データおよび収容変更日時データをメモリに格納し、収容変更の時間になると、第１７乃至第２８の子機４０17〜４０28が収容変更前のチャンネル番号を無効にしてメモリに格納されている新たなチャンネル番号を有効にする。【選択図】図２
2008072620.tif 000002
【特許請求の範囲】
【請求項１】
ＰＯＮ方式の光通信システムにおいて固定チャンネル方式によりチャンネル番号が既に割り当てられている子機（４０17〜４０28）の収容変更を行う際に用いるＰＯＮ方式における子機チャンネル変更方法であって、
収容変更後に前記子機に割り当てる新たなチャンネル番号を示すチャンネル番号データと収容変更を行う日時を示す収容変更日時データとを収容変更前親機（１０2）または集線局から該子機に送信する第１のステップ（Ｓ１１）と、
前記子機において、前記収容変更前親機または前記集線局から送信されてきたチャンネル番号データおよび収容変更日時データをメモリに格納する第２のステップ（Ｓ１２）と、
収容変更の時間になると、前記子機が、前記収容変更前のチャンネル番号を無効にして前記メモリに格納されている新たなチャンネル番号を有効にする第３のステップ（Ｓ１４）と、
を具備することを特徴とする、ＰＯＮ方式における子機チャンネル変更方法。
【請求項２】
前記収容変更前のチャンネル番号が、前記子機が備えるディップスイッチに設定されていることを特徴とする、請求項１記載のＰＯＮ方式における子機チャンネル変更方法。
【請求項３】
前記第１のステップにおいて、収容変更予告メッセージを前記収容変更前親機または前記集線局から前記子機に送信することを特徴とする、請求項１または２記載のＰＯＮ方式における子機チャンネル変更方法。
【請求項４】
前記第２のステップと前記第３のステップとの間に、収容変更の時間前にサービス中断メッセージを前記収容変更前親機または前記集線局から前記子機に送信するステップ（Ｓ１３）をさらに具備することを特徴とする、請求項１乃至３いずれかに記載のＰＯＮ方式における子機チャンネル変更方法。
【請求項５】
前記第３のステップの後に、収容変更後親機（１０1）が、前記新たなチャンネル番号に基づいて前記子機に対してリンクアップ確認処理を行うステップ（Ｓ１５）をさらに具備することを特徴とする、請求項１乃至４いずれかに記載のＰＯＮ方式における子機チャンネル変更方法。
【発明の詳細な説明】
【技術分野】
【０００１】
本発明は、ＰＯＮ方式（Passive Optical Network）における子機チャンネル変更方法に関し、特に、ＥＰＯＮ（Ethernet（登録商標） Passive Optical Network）方式の光通信システムにおいて固定チャンネル方式によりチャンネル番号が既に割り当てられている子機の収容変更（親機への集約変更）を行うのに好適なＰＯＮ方式における子機チャンネル変更方法に関する。
【背景技術】
【０００２】
従来、ＥＰＯＮ方式による光通信システムでは、チャンネル番号を固定して親機（収容局装置）と子機（メディアコンバータ）との間の通信を行うことがなされている（固定チャンネル方式）。固定チャンネル方式では、顧客数の増大に伴い収容変更を行うに際して子機のチャンネル番号の変更が必要となる組合せは実現不可能であり、設計の障害になっている。
そこで、子機のチャンネル番号を自動的に割り当てる自動チャンネル方式もあるが、顧客の特定に時間を要するなどの理由により、自動チャンネル方式は現実的に利用することができていない状況にある。
【０００３】
なお、下記の特許文献１には、ＯＮＵ（宅内終端装置）が、ＯＬＴ（加入者収容装置）によって割り当てられたＬＬＩＤ（Logical Link ID）に対するユーザ端末の数の上限値を越えた数のユーザ端末を収容した場合でも、帯域をユーザに公平に割り当てることができるようにするために、ＯＬＴが、自装置に接続する複数のＯＮＵに割り当てたＬＬＩＤ毎に帯域を割り当てる際に、予め定められたＯＮＵに収容するユーザ端末の最大収容数分の帯域を上限として、ＯＮＵに収容されているユーザ端末の数に応じた帯域を各ＯＮＵに割り当て、ＯＮＵは、ＯＬＴに割り当てられた帯域を自装置が収容するユーザ端末の数で分割して各ユーザ端末に割り当てる帯域制御方法が開示されている。
また、下記の特許文献２には、複数のＯＮＵを実装した通信端末のＭＡＣアドレス数を削減するために、光ＩＦが局側装置からの光信号を電気信号に変換して複数のＯＮＵおよび登録処理制御部へ出力し、登録処理制御部が光ＩＦによって変換された電気信号から登録問合せパケットを抽出し、登録問合せパケットに対して複数の光加入者線終端装置の中の１つが登録プロセスを実行するように制御することにより、複数の光加入者線終端装置に対して１つのＭＡＣアドレスを割り当てればよくなり、複数の光加入者線終端装置に割り当てるＭＡＣアドレス数を削減した通信端末が開示されている。
【特許文献１】特開２００６−２０２４０号公報
【特許文献２】特開２００５−２２９２０６号公報
【発明の開示】
【発明が解決しようとする課題】
【０００４】
しかしながら、上述した固定チャンネル方式では、チャンネル番号は顧客の宅内に設置された子機が備えるディップスイッチを用いて設定されているので、チャンネル番号を変更する場合には、作業員が顧客の家を訪問して子機のディップスイッチの設定を変更するしかない。そのため、収容変更のように多数の顧客が対象となる場合にチャンネル番号の変更を１日で行うには、対象となる顧客の全員が都合の良い日を作業日とするしかないが、このような作業日を調整することは非常に困難であるという問題があった。
【０００５】
本発明の目的は、収容変更に伴う子機のチャンネル番号の変更を子機のディップスイッチの設定を変更することなく行うことができるＰＯＮ方式における子機チャンネル変更方法を提供することにある。
【課題を解決するための手段】
【０００６】
本発明のＰＯＮ方式における子機チャンネル変更方法は、ＰＯＮ方式の光通信システムにおいて固定チャンネル方式によりチャンネル番号が既に割り当てられている子機（４０17〜４０28）の収容変更を行う際に用いるＰＯＮ方式における子機チャンネル変更方法であって、収容変更後に前記子機に割り当てる新たなチャンネル番号を示すチャンネル番号データと収容変更を行う日時を示す収容変更日時データとを収容変更前親機（１０2）または集線局から該子機に送信する第１のステップ（Ｓ１１）と、前記子機において、前記収容変更前親機または前記集線局から送信されてきたチャンネル番号データおよび収容変更日時データをメモリに格納する第２のステップ（Ｓ１２）と、収容変更の時間になると、前記子機が、前記収容変更前のチャンネル番号を無効にして前記メモリに格納されている新たなチャンネル番号を有効にする第３のステップ（Ｓ１４）とを具備することを特徴とする。
ここで、前記収容変更前のチャンネル番号が、前記子機が備えるディップスイッチに設定されていてもよい。
前記第１のステップにおいて、収容変更予告メッセージを前記収容変更前親機または前記集線局から前記子機に送信してもよい。
前記第２のステップと前記第３のステップとの間に、収容変更の時間前にサービス中断メッセージを前記収容変更前親機または前記集線局から前記子機に送信するステップ（Ｓ１３）をさらに具備してもよい。
前記第３のステップの後に、収容変更後親機（１０1）が、前記新たなチャンネル番号に基づいて前記子機に対してリンクアップ確認処理を行うステップ（Ｓ１５）をさらに具備してもよい。
【発明の効果】
【０００７】
本発明のＰＯＮ方式における子機チャンネル変更方法は、収容変更前親機または集線局から子機に収容変更後のチャンネル番号データおよび収容変更日時データを予め送信しておき、子機側で収容変更日時になると収容変更後の新たなチャンネル番号に基づいて収容変更後親機との通信を行うことにより、収容変更に伴う子機のチャンネル番号の変更を子機のディップスイッチの設定を変更することなく行うことができるという効果を奏する。
【発明を実施するための最良の形態】
【０００８】
上記の目的を、収容変更前親機または集線局から子機に送信されてくる収容変更後に子機に割り当てる新たなチャンネル番号を示すチャンネル番号データおよび収容変更を行う日時を示す収容変更日時データを子機がメモリに格納しておき、収容変更の時間になると子機が収容変更前のチャンネル番号を無効にしてメモリに格納された新たなチャンネル番号を有効にすることにより実現した。
【実施例１】
【０００９】
以下、本発明のＰＯＮ方式における子機チャンネル変更方法の実施例について、図面を参照して説明する。
本発明の一実施例によるＰＯＮ方式における子機チャンネル変更方法について、図１に示すように、第２の４分岐光カプラ１１2および第２の１６分岐光カプラ３０2を介して第２の親機１０2と接続された第１７乃至第２８の子機４０17〜４０28に既に割り当てられている第２の親機１０2のチャンネル番号ＣＨ１〜ＣＨ１２を第１の親機１０1のチャンネル番号ＣＨ１７〜ＣＨ２８に２００６年７月２８日１４時に変更する場合を例として、図２に示すフローチャートを参照して説明する。
なお、第１の４分岐光カプラ１１1および第１の１６分岐光カプラ３０1を介して第１の親機１０1と接続された第１乃至第１６の子機４０1〜４０16には第１の親機１０1のチャンネル番号ＣＨ１〜ＣＨ１６が既に割り当てられているものとする。また、第１乃至第２８の子機４０1〜４０28は、割り当てられたチャンネル番号を設定するためのディップスイッチ（不図示）をそれぞれ備えている。
【００１０】
第１７乃至第２８の子機４０17〜４０28について第２の親機１０2（収容変更前親機）から第１の親機１０1（収容変更後親機）へ収容変更する場合には、第１７乃至第２８の子機４０17〜４０28に新たに割り当てる第１の親機１０1のチャンネル番号ＣＨ１７〜ＣＨ２８を示すチャンネル番号データと収容変更を行う日時（２００６年７月２８日１４時）を示す収容変更日時データとが、第２の親機１０2から第１７乃至第２８の子機４０17〜４０28に送信される（ステップＳ１１）。
【００１１】
第１７乃至第２８の子機４０17〜４０28では、送信されてきたチャンネル番号データおよび収容変更日時データがメモリ（不図示）に格納される（ステップＳ１２）。
この際に、「２００６年７月２８日１４時に収容変更を行うためにサービス提供が１３時から１４時の間は中断される」旨の収容変更予告メッセージを第２の親機１０2から第１７乃至第２８の子機４０17〜４０28に送信してもよい。
【００１２】
その後、収容変更日である２００６年７月２８日になると、第１の親機１０1と第１および第２の１６分岐光カプラ３０1，３０2とを接続するための２分岐光カプラ２１をドロップクロージャ２０に設置する作業を行う間は第１７乃至第２８の子機４０17〜４０28へのサービス提供は中断されるので、収容変更の時間である１４時よりも前（たとえば、１３時）に、「収容変更のためサービス提供が１時間中断される」旨のサービス中断メッセージが第２の親機１０2から第１７乃至第２８の子機４０17〜４０28に送信される（ステップＳ１３）。
【００１３】
その後、収容変更の時間である１４時になると、第１７乃至第２８の子機４０17〜４０28は、ディップスイッチに設定されている収容変更前の第２の親機１０2のチャンネル番号ＣＨ１〜ＣＨ１２を無効にして、メモリに格納されている収容変更後の第１の親機１０1のチャンネル番号ＣＨ１７〜ＣＨ２８を有効にする（ステップＳ１４）。
【００１４】
その後、第１の親機１０1は、収容変更後の第１の親機１０1のチャンネル番号ＣＨ１７〜ＣＨ２８に基づいて第１７乃至第２８の子機４０17〜４０28に対してリンクアップ確認処理を順次行う（ステップＳ１５）。
【００１５】
これにより、第１７乃至第２８の子機４０17〜４０28を使用している顧客に対して収容変更日時の調整を予めする必要なく、通信事業者の都合に合わせた日時に第１７乃至第２８の子機４０17〜４０28の収容変更作業を行うことができる。
また、収容変更後のチャンネル番号を遠方から設定することができるので、チャンネル固定割当方式からチャンネル自動割当方式への変更も可能となるために利用範囲を広げることができる。
さらに、固定チャンネル方式においても、収容変更のタイミングに合わせ、チャンネル番号の重複に左右されることなく、収容変更を自由に行うことができる。
【００１６】
以上の説明では、第１および第２の親機１０1，１０2から第１７乃至第２８の子機４０17〜４０28に各種のデータ（チャンネル番号データ、収容変更日時データ、収容変更予告メッセージおよびサービス中断メッセージ）を送信したが、集線局（ＮＯＣ：Network Operation Center）から第１７乃至第２８の子機４０17〜４０28に各種のデータを送信してもよい。
また、第１および第２の親機１０1，１０2から第１７乃至第２８の子機４０17〜４０28への自動リブート（即時または設定設定後）を可能とするようにしてもよい。
【００１７】
さらに、本発明によるＰＯＮ方式における子機チャンネル変更方法は、図３に示すような収容変更にも適用することができる。
この例では、ドロップクロージャ５０に設置された第１の８分岐光カプラ５２1を介して第２の親機（不図示）と接続された第１３乃至第１８の子機６０13〜６０18に既に割り当てられている第２の親機のチャンネル番号ＣＨ１〜ＣＨ６を第１の親機（不図示）のチャンネル番号ＣＨ２７〜ＣＨ３２に変更するとともに、ドロップクロージャ５０に設置された第２の８分岐光カプラ５２2を介して第３の親機（不図示）と接続された第１９乃至第２６の子機６０19〜６０26に既に割り当てられている第３の親機のチャンネル番号ＣＨ１〜ＣＨ８を第１の親機のチャンネル番号ＣＨ１６〜ＣＨ２３に変更する。
収容変更後には、第１乃至第２６の子機６０1〜６０26は、ドロップクロージャ５０に１６分岐光カプラ５１、第１の８分岐光カプラ５２1および第２の８分岐光カプラ５２2とは別に設置された３２分岐光カプラ７０を介して第１の親機と接続される。
【図面の簡単な説明】
【００１８】
【図１】本発明の一実施例によるＰＯＮ方式における子機チャンネル変更方法について説明するための図である。
【図２】図１に示した第１７乃至第２８の子機４０17〜４０28について収容変更をするときの作業手順を説明するためのフローチャートである。
【図３】本発明のＰＯＮ方式における子機チャンネル変更方法が適用できる収容変更の他の例について説明するための図である。
【符号の説明】
【００１９】
１０1，１０2  第１および第２の親機
１１1，１１2  第１および第２の４分岐光カプラ
２０，５０  ドロップクロージャ
２１  ２分岐光カプラ
３０1，３０2  第１および第２の１６分岐光カプラ
４０1〜４０28  第１乃至第２８の子機
５１  １６分岐光カプラ
５２1，５２2  第１および第２の８分岐光カプラ
６０1〜６０26  第１乃至第２６の子機
７０  ３２分岐光カプラ
Ｓ１１〜Ｓ１５  ステップ
【図１】
2008072620.tif 000003
【図２】
2008072620.tif 000004
【図３】
2008072620.tif 000005